(57)【要約】  検査対象構造を外部赤外線放射物から保護する方法は、外部赤外放射源からの赤外線放射物が検査対象構造に到達するのを遮断するために、保護シートを使用して検査対象構造をシールドすることと、外部放射源からの最大量の放射線を遮断するように、少なくとも１つの支持体を使用して少なくとも１つの保護シートを位置付けることと、赤外線カメラを使用して、検査対象構造からの赤外線を捕捉することと、を含む。
2021504678.tif 000002
【特許請求の範囲】
【請求項１】
検査対象構造を外部赤外線放射物から保護する方法であって、
外部赤外放射源からの赤外線放射物が、前記検査対象構造に到達するのを遮断するために、保護シートを使用して前記検査対象構造をシールドすることと、
前記外部放射源からの放射線量を遮断するように、少なくとも１つの支持体を使用して、前記保護シートを位置付けることと、
赤外線カメラを使用して、前記検査対象構造から赤外線を捕捉することと、
前記カメラを使用して前記捕捉した画像を使用して、前記外部放射源からの前記赤外線量を監視することと、
最小の赤外線量が前記外部放射源から受信されるまで前記位置付けステップを繰り返すことと、を含む、方法。
【請求項２】
前記外部放射源が、前記検査対象構造の下の地面であり、前記保護シートが、前記地面の上および前記検査対象構造の下に位置付けられる、請求項１に記載の方法。
【請求項３】
地面放射物から前記構造を保護する複数の保護シートと、前記構造の近傍にある別の加熱品からの放射物から前記構造を保護する保護シートと、を配置すること、をさらに含む、請求項１に記載の方法。
【請求項４】
前記赤外線カメラのアパーチャのための小さな開口部を除いて前記検査対象構造を完全に囲むように、複数の保護シートを配置することをさらに含む、請求項１に記載の方法。
【請求項５】
前記保護シートが、前記赤外放射源に面するように位置付けられた赤外線反射層、前記検査対象構造に面するように位置付けられた拡散布層、および前記赤外線反射層と前記拡散布層との間に位置付けられた断熱層を含む、請求項１に記載の方法。
【請求項６】
前記赤外線反射層が、二軸延伸ポリエチレンテレフタレートから作製される、請求項５に記載の方法。
【請求項７】
検査対象構造を外部赤外線放射物から保護するシステムであって、
前記検査対象構造からの赤外線を捕捉するように位置付けられた赤外線カメラと、
外部赤外放射源からの赤外線放射物が前記検査対象構造に到達するのを遮断するように位置付けられた保護シートと、
前記保護シートに結合された少なくとも１つの支持体と、を含み、前記支持体は、前記外部放射源からの最大量の放射線を遮断する位置に前記保護シートを保持および配向する、システム。
【請求項８】
前記外部放射源が、前記検査対象構造の下の地面であり、前記保護シートが、前記地面の上および前記検査対象構造の下に位置付けられる、請求項７に記載のシステム。
【請求項９】
前記保護シートが、少なくとも１つのスペーサを使用して前記地面上に吊るされている、請求項８に記載のシステム。
【請求項１０】
前記保護シートが、地面放射物から前記構造を保護するように配置された複数の保護シート層と、前記構造の近傍の別の加熱品からの放射物から前記構造を保護するように配置された保護シートとを含み、少なくとも１つのシート層が、別のシート層とは異なる材料で構成されている、請求項７に記載のシステム。
【請求項１１】
日光から前記赤外線を保護するための追加の保護シートをさらに含む、請求項１０に記載のシステム。
【請求項１２】
前記保護シートが、前記赤外放射源に面するように位置付けられた赤外線反射層と、前記検査対象構造に面するように位置付けられた拡散布層と、前記赤外線反射層と前記拡散布層との間に位置付けられた断熱層と、を含む、請求項７に記載のシステム。
【請求項１３】
前記赤外線反射層が、二軸延伸ポリエチレンテレフタレートから作製される、請求項１２に記載のシステム。
【請求項１４】
前記保護シートの前記複数の層が、１つ以上の位置で互いに取り付けられ、前記保護シートが、前記複数の層を通って延在し、および前記複数の層を取り付けるグロメットをさらに含む、請求項１２に記載のシステム。
【請求項１５】
前記検査対象構造を完全に囲む複数の保護シートをさらに含み、前記保護シートが、前記赤外線カメラのアパーチャのための開口部を有する、請求項７に記載のシステム。
【請求項１６】
前記保護シートと前記支持体を同時に係合するように構成されたグリップをさらに含み、前記グリップが、前記保護シートを前記配向および前記位置に維持する、請求項７に記載のシステム。
【発明の詳細な説明】
【技術分野】
【０００１】
本発明は、赤外線捕捉を使用した腐食の監視に関し、特に、監視対象構造を赤外線の外部源から保護し、構造から放出される赤外線の正確な測定値が得られるシステムおよび方法に関する。
【背景技術】
【０００２】
石油およびガス産業では、インフラストラクチャの腐食（例えば、パイプの腐食）が著しいコスト要因となり主要な問題である。パイプおよび導管は通常、アルミニウム被覆などの断熱層または被覆層で覆われているため、目視検査では断熱材下で発生する腐食（ＣＵＩ）は明らかではなく、腐食の有無を判定するために他の非目視監視方法が必要とされる。内部温度のコントラストに対応する赤外線が断熱体を通過し、赤外線カメラを使用して検出し得るので、赤外線検査は、ＣＵＩを監視するための有望な技術である。得られた温度コントラストは、水分の蓄積とＣＵＩを示す。
【０００３】
赤外線ベースの監視では、検査対象構造にＣＵＩが存在するかどうかを正確に判定し得るが、赤外線ベースの監視は、検査対象構造の外部にある干渉放射線に反応してしまう。例えば、近くのコンクリートおよびアスファルトなど、検査対象構造のエリアにある加熱された物体から、実質的な放射線干渉が生じ得る。これらの源から放出される赤外線は、通常、パイプに使用されるアルミニウム被覆によって反射される。これらの反射は、アルミニウム被覆を介した検査対象構造からの放射物と比較すると非常に顕著になり得る。この外部放射により、ＣＵＩを明らかにする、時に、微妙な温度コントラストを検出することがより困難になる。
【０００４】
したがって、この無関係な放射を低減し、赤外線ベースのＣＵＩ検査の利点をより完全に実現できるシステムと方法が必要である。
【発明の概要】
【０００５】
本発明の実施形態は、検査対象構造を外部赤外線放射物から保護する方法を提供する。この方法は、外部赤外放射源からの赤外線放射物が検査対象構造に到達するのを遮断するために、保護シートを使用して検査対象構造をシールドすることと、外部放射源からの最大量の放射線量を遮断するように、少なくとも１つの支持体を使用して、保護シートを位置付けることと、赤外線カメラを使用して検査対象構造から赤外線を捕捉することと、カメラを使用して捕捉した画像を使用して外部放射源からの赤外線量を監視することと、最小の赤外線量が、外部放射源から受信されるまで位置付けるステップを繰り返すことと、を含む。
【０００６】
いくつかの実施形態において、外部放射源が、検査対象構造の下の地面であり、保護シートが、地面の上および検査対象構造の下に位置付けられる。
【０００７】
本発明の方法の特定の実施形態は、地面放射物から構造を保護するための複数の保護シートと、構造の近傍にある別の加熱品からの放射物から構造を保護するための少なくとも１つの保護シートとを配置することをさらに含む。他の実施形態では、この方法は、赤外線カメラのアパーチャのための小さな開口部を除いて検査対象構造を完全に囲むように、複数の保護シートを配置することをさらに含む。
【０００８】
いくつかの実施形態では、保護シートは、赤外放射源に面するように位置付けられた赤外線反射層、検査構造に面するように位置付けられた拡散布層、および赤外線反射層と拡散布層との間に位置付けられた断熱層を含む。赤外線反射層は、マイラー製であり得る。
【０００９】
本発明の実施形態はまた、検査対象構造を外部赤外線放射物から保護するシステムを提供する。システムは、検査対象構造からの赤外線を捕捉するように位置付けられた赤外線カメラ、外部赤外放射源からの赤外線放射物が検査対象構造に到達するのを遮断するように位置付けられた保護シート、および保護シートに結合された少なくとも１つの支持体を含み、支持体が、外部放射源からの最大量の放射線を遮断する位置に保護シートを保持および配向する。いくつかの実施形態では、複数の保護シートが検査対象構造を完全に囲み、赤外線カメラのアパーチャのための開口部を有する。
【００１０】
いくつかの実施形態では、外部放射源が、検査対象構造の下の地面であり、少なくとも１枚の保護シートが、地面の上および検査対象構造の下に位置付けられる。保護シートは、少なくとも１つのスペーサを使用して地面上に吊るされ得る。これは、地面とシートとの間の伝導熱伝達を防ぐのに役立ち、このように、シートが赤外線の大きな源になる可能性を最小限に抑える。
【００１１】
本発明によるシステムはまた、地面放射物から構造を保護するように配置された複数の保護シートと、構造の近傍にある別の加熱品からの放射物から構造を保護するように配置された少なくとも１つの保護シートとを含み得る。システムは、日光から赤外線を保護するための追加の保護シートをさらに含み得る。
【００１２】
特定の実施形態では、保護シートは、赤外放射源に面するように位置付けられた赤外線反射層、検査構造に面するように位置付けられた拡散布層、および赤外線反射層と拡散布層との間に位置付けられた断熱層を含む。赤外線反射層は、マイラー製であり得る。
【００１３】
これらおよび他の特徴は、添付の図面に関連して説明される本発明の特定の実施形態の添付の説明から理解され得る。
【図面の簡単な説明】
【００１４】
【図１】先行技術による外部源からの赤外線反射の影響を受ける検査対象構造（図示の例ではパイプライン）の概略斜視図である。
【図２】図１に示す構造と同様の、本発明の一実施形態による外部赤外線から保護されている検査対象構造の概略斜視図である。
【図３】本発明による検査対象構造を外部放射線から保護するシステムの配置の側面図である。
【図４】本発明による検査対象構造を外部放射線から保護するシステムの別の配置の側面図である。
【図５】本発明による検査対象構造を外部放射線から保護するシステムのさらに別の配置の側面図である。
【図６】本発明による検査対象構造を外部放射線から保護するシステムのさらに別の配置の側面図である。
【図７】本発明の一実施形態による赤外線を遮断するために使用される材料の概略断面図である。
【発明を実施するための形態】
【００１５】
現場の構造物の断熱材下の腐食（ＣＵＩ）を非破壊的に（つまり、断熱材を除去または構造物を分解することなく）検出することは困難な場合がある。赤外線サーモグラフィは、腐食および／または水分を含む構造の領域が、周囲の非腐食材料とは異なる速度で外部加熱に応答するため、ＣＵＩの検出に有望な手法である。この加熱差により、温度コントラストと赤外線放射物パターンの差が生じる。赤外線は構造断熱体および／または被覆を透過する可能性があるため、温度コントラストは赤外線カメラを使用して検出し得る。ただし、コントラストは微妙であり得るため、赤外線カメラで捕捉された放射線は、焦点エリアから放出された赤外線のみを正確に反射し、他の源から受信した無関係な赤外線を反射しないことが重要となる。したがって、正確なＣＵＩ検出を実現するには、このような無関係な赤外線から、焦点エリアおよび場合によっては赤外線カメラ自体を保護することが重要となる。
【００１６】
図１は、調査中の例示的な構造であり、赤外線撮像を妨げる外部源からの赤外線に曝露されていることを示す。この場合、中空パイプである構造１００は、赤外線撮像装置（図１には示されていないが、図解のように図の前にあると理解されるべき）によってＣＵＩについて検査される画像化エリア１１０を含む。構造体１００の表面は、アルミニウム被覆または赤外線に対して反射性のある別の材料を含み得る。構造物１００は、支持体１２２、１２４によって地面１２０の上に吊り下げられている。地面１２０は、周囲温度であってもかなりの量の赤外線を放出するコンクリートまたは同様の材料を含み得る。したがって、地面１２０は赤外線源として機能することができ、その一部は構造物１００に向けられ、構造被覆から反射される。構造物の底部にある陰影エリア１３０は、地面１２０から発する赤外線が観察カメラに向かって反射されている領域を示す。エリア１３０から反射された放射線は、構造から放出されたＣＵＩに関連する放射線を圧倒し、存在するＣＵＩを覆い隠すことがある。
【００１７】
図２は、調査中の同様の例示的な構造を示す。この例では、保護シート１５０は、構造体１１０の下の地面１２０上に位置付けられる。保護シート１５０は、地面１２０から発する赤外線が構造１３０に到達するのを遮断する非放射性材料でできている。図示されているように、保護シートの真上にある構造体１００の底部のセクション１４０は陰影が付けられておらず、このセクションが地面からの赤外線に曝されておらず、その結果、そのような放射線を反射しないことを示している。したがって、示された例では、保護シート１５０は、ＣＵＩ検出を不明瞭にし得る外部赤外線の大きな源を除去するように機能する。いくつかの実施形態では、地面との接触による保護シートの加熱を防止して結果として赤外線源になることを防ぐために、保護シート１５０の下にスペーサ１５２、１５４が設置され得、地面と保護シート間との直接接触と伝導熱伝達を防ぐ。図２に示す保護シート１５０のサイズは単なる例示であり、実際の実施形態では、（すなわち、直接または構造物の表面に垂直な角度で放射される放射線とは対照的に）保護シートは、表面に対してある角度で放射される地面放射物から構造を保護するために必要な大きさであり得る。
【００１８】
図３は、本発明による検査対象構造を外部赤外線放射物から保護するための例示的な構成２００の側面図である。配置２００では、図示の例ではパイプである構造物２１０から発する赤外線を捕捉するように、赤外線カメラ２０５が配向されている。水平方向に間隔を空けた支持体のグループ２２２、２２４、２２６、２２８が、検査対象構造２１０の下の地面２２０に設置される。第１の保護シート２３２は支持体２２２と２２４との間に延在し、第２の保護シート２３４は支持体２２４と２２６との間に延在し、第３の保護シート２３６は支持体２２６と２２８との間に延在する。示されるように、保護シート２３２、２３６は、点線矢印で示される角度で地面から構造物に向かって放射される赤外線から構造物をよりよく保護するように、水平に対してある角度で配向される。保護シート２３４は、構造の真下のエリア全体を覆うように水平に配向される。一緒に、支持体２２２、２２４、２２６、２２８および保護シート２３２、２３４、２３６は、地表源からの赤外線放射物から構造を完全に保護する。支持体は線形および／または円筒形状を有するものとして示されているが、支持体は他の形状を有することができ、材料を取り付けるためのフレアおよびフランジを含むがこれに限定されない。支持体は、アルミニウムなどの非ＩＲ放射物性材料で作製されている。保護シート、例えば２３２は、クランプ、弾性バンド、または他の同様の固定具などのグリップ２３５により、支持体、例えば２２２に固定され得る。加えて、保護シートにはグロメットを含めることができ、シートを他の構造に簡単に固定し得る。
【００１９】
一部のフィールドアプリケーションでは、検査対象構造に向かって赤外線を放出できる物体は地面だけではない。図４は、検査対象構造を追加の赤外線源から保護するためのシステムの別の配置の側面図である。配置３００では、赤外線カメラ３０５が、構造３１０から発する赤外線を捕捉するように同様に配向されている。この例では、地面３２０に加えて、太陽や、壁などの近くにある加熱された物体３４０の両方が追加の赤外線源である。この構成では、いくつかの支持体と保護シートが位置付けされ、これらの源がカメラ２０５または構造２１０のいずれかに到達するのを遮断する。例えば、構造物２１０に対する赤外線カメラの位置を固定するカメラ支持体３２１および追加の支持体３２２は、支持体間に延在し、赤外線カメラ２０５および構造２１０を、赤外線検出の精度に悪影響を及ぼすことがある太陽光への露出過多から保護するように角度が付けられた保護シート３３１に結合する。支持体３２３／３２４、３２４／３２５、および３２５／３２６のそれぞれの対から延在する保護シート３３２、３３３および３３４は、図３に示されたものと同様の構成で、地面の赤外線放射物から構造を保護する。別の保護シート３３５が、カメラ３０５から最も遠位に位置付けられた支持体３２６と３２７との間に延在する。保護シート３３５は、加熱された物体３４０から放出される赤外線を遮断する。
【００２０】
図５は、保護シートが検査対象構造を完全に囲み、検査対象構造に外部赤外線がほとんど到達しないことをさらに確実にする別の配置を示す。関連部分では、配置４００において、上部保護シート４３１は、検査対象構造上の最も近位の支持体と遠位の支持体との間に延在する。保護シート４３２は、カメラ４０５と上部保護シート４３１との間に延在し、別の保護シート４３３は、カメラと下部支持体との間に延在する。この構成では、太陽光が検査対象構造に直接到達することを遮断し、地面および加熱された物体を含む他の赤外線源からの放射線も同様に検査対象構造に直接到達できない。図示された実施形態では、内部空間内のカメラ４０５の一部は保護シートで囲まれている。場合によっては、カメラ自体が赤外線源になることがあり得る。例えば、カメラの一部が加熱され、その加熱されたエリアから赤外線が放出され、そしてセンサに反射される可能性がある。図５に示す配置では、ＩＲ光がカメラレンズの周囲に透過するのを防ぎながら赤外線がカメラレンズを通過できる開口部のみを含むことにより、保護シートを通るカメラの穿通は最小限に抑えられる。
【００２１】
図６は、図５に示されたものと同様のさらに別の配置を示しており、図６では、検査対象構造も複数の保護シートで囲まれている。この実施形態では、カメラ５０５は、保護シートによって境界付けられた空間内に完全に位置付けられる。したがって、赤外線カメラ５０５自体によって生成される放射線がカメラのセンサに到達しないように、追加のステップが取られる。図示された実施形態では、無関係な放射線がカメラの赤外線センサに到達するのを遮断する、赤外線カメラのアパーチャの両側に位置付けられる追加の保護構造５０７、５０８によって、追加の保護が提供される。
【００２２】
保護シートの配置が赤外線反射を十分に遮断している場合に、赤外線カメラを使用して検出され得る。いくつかの実施形態では、保護シートが様々な位置に繰り返し移動されるため（例えば、手動で）、観察者はカメラを使用して、繰り返しごとに、保護シートのその時点における位置が赤外線反射を十分に遮断しているかどうか、および、保護シートのその時点における位置が、赤外線反射が十分なレベルに減少する配置に達するまで、赤外線の障害を最小限に抑えるかどうかを観察し得る。使用中の保護シートが赤外線反射を十分に最小化しないことが判明した場合、十分な最小化が行われるまで追加の保護シートが追加され得る。
【００２３】
保護シートの構成と構造は、様々な異なる形式を使用して実装され得る。保護シートは、全体的または部分的に赤外線反射材料（すなわち、赤外線吸収体およびエミッタが不十分な材料）で作製され得る。簡単な実施形態では、保護シートはアルミニウムまたは他の赤外線反射金属で作製され得る。あるいは、保護シートは、金属化マイラーの方法で「スペースブランケット」（マイラーは二軸延伸ポリエチレンテレフタレート）のように積層され得る。保護シートは、入射赤外線を遮断するために、外側が赤外線反射性であることと、検査対象構造への赤外線反射を防ぐように内部側（検査対象構造に面する）が赤外線吸収性であることが最も好ましい。例えば、金属化マイラーシートで作製された保護シートにおいて、金属層を外部に面した側に使用でき、ポリマー材料をその裏面に使用できる。
【００２４】
図７は、本発明による保護シートの一実施形態の組成の概略図である。保護シートは、薄い金属フィルムまたは層７０２、金属フィルムに結合されたプラスチック層、および拡散布地（例えば、ウールのような）裏地層７０６を含む。裏地層７０６は、拡散テクスチャを有することができ、好ましくは、赤外線を生成するための内部エネルギーがわずかであり、低い赤外線反射率および低い比熱を有する。裏地層の拡散性は、内部で生成される赤外線の強度も低下させ、拡散反射を生成する。保護シートはまた、例えば他の構造へのシートの便利な取り付けを可能にする１つ以上のグロメット７１０を含む。グロメットは、保護シートの様々な層を一緒に固定できる。あるいは、保護シートは単一構造として形成され得る。
【００２５】
機能強化には、放射物を最小限に抑えるための材料とコーティングの追加を含み得る。断熱材を追加して、検査対象構造に面する保護シートの表面が可能な限り低温に保つことを確保することも可能である。赤外線検査技術のために、特定の波長の赤外線の放射物を防ぐナノ構造層を提供することが可能である。あるいは、材料をナノ構造にして、放射物を、関心のある構造分析の関心の低い狭帯域幅に制限でき、この制限された帯域幅は、次に画像からフィルタリングできる。
【００２６】
いくつかの実施形態では、検査対象物に面するシートの面は、シート自体の黒体放射が、カメラで測定されている赤外線スペクトル内に大幅に落ちないように、可視光またはさらに低波長の光のいずれかに向けて、ナノ構造のパターン、または黒体放射の放射物をシフトする層のセットをもち得、シートが加熱されたときに、シートが、物体に向かって破壊的な赤外線放射物を生成するのを防ぐ。これらの層は、赤外線スペクトルにおいて吸収性が高く、可視スペクトルまたはサブ赤外線スペクトルのいずれかにおいても高い放射性があるため、放出された波長をシフトでき、その結果、放出された光の一部を測定された赤外線スペクトルからシフトする。これにより、好ましいと判定された場合に、拡散布地層を置き換えることができる。ただし、反射率に関するいくつかの問題が発生する可能性が高いため、シートが物体をほぼ完全に囲んでいる場合に使用されるのが最適である。
【００２７】
保護シートを展開した後、赤外線測定を行う前または分析する前に、検査対象構造が熱平衡に達するまで待機する時間を含めることを留意されたい。時間の長さは、構造の材料特性、熱放散の経路、曝露された赤外線のレベルなどに依存する。構造は、十分なレベルの平衡状態に到達したことを判定するため赤外線カメラで監視され得る。
【００２８】
本明細書に開示されたいずれの構造および機能の詳細も、システムおよび方法を限定するものとして解釈されるべきではなく、むしろ、当業者に、方法を実装するための１つ以上のやり方を教示するための典型的な実施形態および／または構成として提供されていることを理解されたい。
【００２９】
図面中の類似の数字が、いくつかの図を通して類似の要素を表し、図に関連して説明され、示された構成要素および／またはステップのすべてが、すべての実施形態または構成に必要とされるわけではないことをさらに理解されたい。
【００３０】
本明細書に使用されている専門用語は、特定の実施形態のみを説明するためのものであり、本発明を限定することを意図するものではない。本明細書で使用される際、単数形「ａ」、「ａｎ」、および「ｔｈｅ」は、文脈が明らかに他の意味を示している場合を除き、複数形も含むことが意図される。「ｃｏｍｐｒｉｓｅｓ（備える）」および／または「ｃｏｍｐｒｉｓｉｎｇ（備える）」という用語は、本明細書で使用する際、述べた特徴、整数、ステップ、作業、要素、および／または構成要素の存在を明示するが、１つ以上の他の特徴、整数、ステップ、作業、要素、構成要素、および／またはそれらの群の存在または追加を排除しないことがさらに理解されるであろう。
【００３１】
配向の用語は、本明細書では、単に慣例および参照の目的で使用され、限定するものとして解釈されるべきではない。ただし、これらの用語が見る人を基準にして使用されている可能性があることが分かる。したがって、限定が暗に意味されることもなく、推察されるべきでもない。
【００３２】
また、本明細書に使用されている表現および専門用語は、説明目的のものであり、限定するものとみなされるべきではない。本明細書における「ｉｎｃｌｕｄｉｎｇ（含む）」、「ｃｏｍｐｒｉｓｉｎｇ（備える）」、または「ｈａｖｉｎｇ（有する）」、「ｃｏｎｔａｉｎｉｎｇ（含む）」、「ｉｎｖｏｌｖｉｎｇ（伴う）」、およびそれらの変形の使用は、それ以降に挙げられた項目、およびその等価物、ならびに追加項目を包含することを目的としている。
【００３３】
例示的な実施形態に関連して本発明が説明されてきたが、本発明の範囲から逸脱しない限り、様々な変更が行われてもよく、その要素を等価物に置き換えてもよいことが、当業者には理解されるであろう。さらに、本発明の基本的な範囲から逸脱せずに、特定の計器、状況、または材料を本発明の教示に適合させるための多くの修正が当業者には理解されるであろう。したがって、本発明が、本発明を実施するために考えられた最良の形態として開示された特定の実施形態に限定されず、本発明が、添付の特許請求の範囲内に含まれるすべての実施形態を含むであろうことが意図されている。
【符号の説明】
【００３４】
１００  構造物
１１０  画像化エリア
１２０  地面
１２２、１２４  支持体
１３０  陰影エリア
１４０  底部のセクション
１５０  保護シート
１５２、１５４  スペーサ
２００  配置
２０５  赤外線カメラ
２１０  構造物
２２０  地面
２２２、２２４、２２６、２２８  支持体
２３２  第１の保護シート
２３４  第２の保護シート
２３５  グリップ
２３６  第３の保護シート
３００  配置
３０５  赤外線カメラ
３１０  構造
３２０  地面
３２１  カメラ支持体
３２２、３２３、３２４、３２５、３２６  支持体
３３１、３３２、３３３、３３４、３３５  角度が付けられた保護シート
３４０  加熱された物体
４００  配置
４０５  カメラ
４３１  上部保護シート
４３２、４３３  保護シート
５０５  カメラ
５０７、５０８  保護構造
７０２  薄い金属フィルムまたは層
７０６  裏地層
７１０  グロメット
【図１】
2021504678.tif 000003
【図２】
2021504678.tif 000004
【図３】
2021504678.tif 000005
【図４】
2021504678.tif 000006
【図５】
2021504678.tif 000007
【図６】
2021504678.tif 000008
【図７】
2021504678.tif 000009
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
検査対象構造を外部赤外線放射物から保護する方法であって、
外部赤外放射源からの赤外線放射物が、前記検査対象構造に到達するのを遮断するために、保護シートを使用して前記検査対象構造をシールドすることと、
前記外部放射源からの放射線量を遮断するように、少なくとも１つの支持体を使用して、前記保護シートを位置付けることと、
赤外線カメラを使用して、前記検査対象構造から赤外線を捕捉することと、
前記カメラを使用して前記捕捉した画像を使用して、前記外部放射源からの前記赤外線量を監視することと、
最小の赤外線量が前記外部放射源から受信されるまで前記位置付けステップを繰り返すことと、を含む、方法。
【請求項２】
前記外部放射源が、前記検査対象構造の下の地面であり、前記保護シートが、前記地面の上および前記検査対象構造の下に位置付けられる、請求項１に記載の方法。
【請求項３】
地面放射物から前記構造を保護する複数の保護シートと、前記構造の近傍にある別の加熱品からの放射物から前記構造を保護する保護シートと、を配置すること、をさらに含む、請求項１に記載の方法。
【請求項４】
前記赤外線カメラのアパーチャのための小さな開口部を除いて前記検査対象構造を完全に囲むように、複数の保護シートを配置することをさらに含む、請求項１に記載の方法。
【請求項５】
前記保護シートが、前記赤外放射源に面するように位置付けられた赤外線反射層、前記検査対象構造に面するように位置付けられた拡散布層、および前記赤外線反射層と前記拡散布層との間に位置付けられた断熱層を含む、請求項１に記載の方法。
【請求項６】
前記赤外線反射層が、二軸延伸ポリエチレンテレフタレートから作製される、請求項５に記載の方法。
【請求項７】
検査対象構造を外部赤外線放射物から保護するシステムであって、
前記検査対象構造からの赤外線を捕捉するように位置付けられた赤外線カメラと、
外部赤外放射源からの赤外線放射物が前記検査対象構造に到達するのを遮断するように位置付けられた保護シートと、
前記保護シートに結合された少なくとも１つの支持体と、を含み、前記支持体は、前記外部放射源からの最大量の放射線を遮断する位置に前記保護シートを保持および配向する、システム。
【請求項８】
前記外部放射源が、前記検査対象構造の下の地面であり、前記保護シートが、前記地面の上および前記検査対象構造の下に位置付けられる、請求項７に記載のシステム。
【請求項９】
前記保護シートが、少なくとも１つのスペーサを使用して前記地面上に吊るされている、請求項８に記載のシステム。
【請求項１０】
前記保護シートが、地面放射物から前記構造を保護するように配置された複数の保護シート層と、前記構造の近傍の別の加熱品からの放射物から前記構造を保護するように配置された保護シートとを含み、少なくとも１つのシート層が、別のシート層とは異なる材料で構成されている、請求項７に記載のシステム。
【請求項１１】
日光から前記赤外線を保護するための追加の保護シートをさらに含む、請求項１０に記載のシステム。
【請求項１２】
前記保護シートが、前記赤外放射源に面するように位置付けられた赤外線反射層と、前記検査対象構造に面するように位置付けられた拡散布層と、前記赤外線反射層と前記拡散布層との間に位置付けられた断熱層と、を含む、請求項７に記載のシステム。
【請求項１３】
前記赤外線反射層が、二軸延伸ポリエチレンテレフタレートから作製される、請求項１２に記載のシステム。
【請求項１４】
前記保護シートの前記複数の層が、１つ以上の位置で互いに取り付けられ、前記保護シートが、前記複数の層を通って延在し、および前記複数の層を取り付けるグロメットをさらに含む、請求項１２に記載のシステム。
【請求項１５】
前記検査対象構造を完全に囲む複数の保護シートをさらに含み、前記保護シートが、前記赤外線カメラのアパーチャのための開口部を有する、請求項７に記載のシステム。
【請求項１６】
前記保護シートと前記支持体を同時に係合するように構成されたグリップをさらに含み、前記グリップが、前記保護シートを前記配向および前記位置に維持する、請求項７に記載のシステム。
【請求項１７】
検査対象構造を外部赤外線放射物から保護するシステムであって、
前記検査対象構造からの赤外線を捕捉するように位置付けられた赤外線カメラと、
外部赤外放射源からの赤外線放射物が前記検査対象構造に到達するのを遮断するように位置付けられた保護シートと、
前記保護シートに結合された少なくとも１つの支持体と、を含み、前記支持体は、前記外部放射源からの最大量の放射線を遮断する位置に前記保護シートを保持および配向し、
前記外部放射源が、前記検査対象構造の下の地面を含み、前記保護シートが、前記地面の上および前記検査対象構造の下に位置付けられる、システム。
【国際調査報告】
2021504678.tif 000010
2021504678.tif 000011
2021504678.tif 000012